(57)【要約】【課題】  不使用時に、小さな収納スペースに収納することができ、特に、多数のものを重ね合わせて小さな収納スペースに収納できるとともに、構造が簡単で、取扱いが容易な商品陳列装置を提供する。【解決手段】  左右１対の支柱２，２の上端部同士および下端部同士を、左右方向を向く上下１対の連結杆３，３をもって互いに連結し、かつ各支柱２の下端部に、前端部にストッパ６を上向き突設した前方を向く脚杆５を設けた本体７と、前面に陳列物または陳列物支持用のアッタチメント８を係止可能で、下端が左右の脚杆５の前部に載置され、かつ上部後面を両支柱２，２の上部または上方の連結杆３に当接させることにより、後傾状態で本体７に支持されるようにした陳列板９とを備えるものとする。【選択図】        図１
2005237775.tif 000002
【特許請求の範囲】
【請求項１】
左右１対の支柱の上端部同士および下端部同士を、左右方向を向く上下１対の連結杆をもって互いに連結し、かつ各支柱の下端部に、前端部にストッパを上向き突設した前方を向く脚杆を設けた本体と、前面に陳列物または陳列物支持用のアッタチメントを係止可能で、下端が左右の脚杆の前部に載置され、かつ上部後面を前記両支柱の上部または上方の連結杆に当接させることにより、後傾状態で前記本体に支持されるようにした陳列板とを備えることを特徴とする商品陳列装置。
【請求項２】
左右１対の支柱の上端部同士および下端部同士を、左右方向を向く上下１対の連結杆をもって互いに連結し、かつ各支柱の下端部に前方を向く脚杆を設けた本体と、前面に陳列物または陳列物支持用のアタッチメントを係止可能で、下端が左右の脚杆の前部に載置され、かつ上部後面に設けた下向きのフックを、上方の連結杆に係合させることにより、後傾状態で前記本体に支持されるようにした陳列板とを備えることを特徴とする商品陳列装置。
【請求項３】
陳列板の中間部後面に、上方の連結杆に係合させることにより、陳列板を支柱と平行に支持しうるフックを設けた請求項１または２記載の商品陳列装置。
【請求項４】
陳列板を、上下方向を向く複数の縦桟と、左右方向を向く複数の横桟とからなる格子状のものとした請求項１〜３のいずれかに記載の商品陳列装置。
【請求項５】
いずれかの縦桟の上端部を後下方に折曲することによりフックを形成した請求項２または３に従属する請求項４記載の商品陳列装置。
【請求項６】
支柱の下端部に、前方と側方とを向く等長の１対の脚杆を設けた本体と、前記支柱をほぼ中心とし、かつ底面の半径を脚杆の長さとほぼ等しくした四分の一円錐形状をなし、外周面に陳列物または陳列物支持用のアタッチメントを係止可能で、下端両側部が前記脚杆の先端部上面に、上部背面が支柱の上端部にそれぞれ支持された陳列板とを備えることを特徴とする商品陳列装置。
【請求項７】
陳列板の下端両側部を各脚杆の先端部に固着し、かつ陳列板の上部背面を支柱の上端部に固着した請求項６記載の商品陳列装置。
【請求項８】
陳列板の上端部に、中空とした支柱の上端に係合しうる下向きのフックを設け、かつ陳列板の下端両側部と脚杆の先端部とに、相互係合手段を設け、陳列板を本体から着脱可能とした請求項６記載の商品陳列装置。
【請求項９】
相互係合手段を、脚杆の先端部に上向き突設したストッパとした請求項８記載の商品陳列装置。
【請求項１０】
相互係合手段を、脚杆の先端部上面に設けられ、かつ陳列板の側部下端より下方に向かって突出する突軸が嵌合する係合孔とした請求項８記載の商品陳列装置。
【請求項１１】
陳列板が、支柱のほぼ上端部から同一の下向き傾斜角度をもって放射状に延出する複数の縦桟と、下方のものほど支柱を中心とする曲率半径が漸次増大する四分の一円弧状をなして各縦桟に固着された複数の水平の横桟とからなる請求項６〜１０のいずれかに記載の商品陳列装置。
【請求項１２】
支柱の下端および各脚杆の先端部下面に、キャスタを設けた請求項１〜１１のいずれかに記載の商品陳列装置。
【請求項１３】
陳列板の下端の中間部下面に、キャスタを設けた請求項６〜１１のいずれかに従属する請求項１２記載の商品陳列装置。
【発明の詳細な説明】
【技術分野】
【０００１】
本発明は、商品を後傾する傾斜面に沿って陳列しうるようにした商品陳列装置に関する。
【背景技術】
【０００２】
例えば、切り花を収容するフラワーポットを、階段状に支持して、切り花を後傾する傾斜面に沿って体裁よく陳列しうるようにするため、専用の陳列台やフラワースタンドが提供されている（例えば特許文献１または２参照）。
【特許文献１】特開平０９−００００６５号公報
【特許文献２】特開２００２−０１７５３６号公報
【発明の開示】
【発明が解決しようとする課題】
【０００３】
しかし、上述のような従来の陳列台やフラワースタンドは、折り畳みや分解ができず、不使用時に収納する際に多大な収納スペースを専有するという問題がある。
【０００４】
本発明は、従来の技術が有する上記のような問題点に鑑み、不使用時に、小さな収納スペースに収納することができ、特に、多数のものを重ね合わせて小さな収納スペースに収納できるとともに、構造が簡単で、取扱いが容易な商品陳列装置を提供することを目的としている。
【課題を解決するための手段】
【０００５】
本発明によると、上記課題は次のようにして解決される。
(１)  左右１対の支柱の上端部同士および下端部同士を、左右方向を向く上下１対の連結杆をもって互いに連結し、かつ各支柱の下端部に、前端部にストッパを上向き突設した前方を向く脚杆を設けた本体と、前面に陳列物または陳列物支持用のアッタチメントを係止可能で、下端が左右の脚杆の前部に載置され、かつ上部後面を前記両支柱の上部または上方の連結杆に当接させることにより、後傾状態で前記本体に支持されるようにした陳列板とを備えるものとする。
【０００６】
(２)  上記(１)項において、左右１対の支柱の上端部同士および下端部同士を、左右方向を向く上下１対の連結杆をもって互いに連結し、かつ各支柱の下端部に前方を向く脚杆を設けた本体と、前面に陳列物または陳列物支持用のアタッチメントを係止可能で、下端が左右の脚杆の前部に載置され、かつ上部後面に設けた下向きのフックを、上方の連結杆に係合させることにより、後傾状態で前記本体に支持されるようにした陳列板とを備えるものとする。
【０００７】
(３)  上記(１)または(２)項において、陳列板の中間部後面に、上方の連結杆に係合させることにより、陳列板を支柱と平行に支持しうるフックを設ける。
【０００８】
(４)  上記(１)〜(３)項のいずれかにおいて、陳列板を、上下方向を向く複数の縦桟と、左右方向を向く複数の横桟とからなる格子状のものとする。
【０００９】
(５)  上記(２)または(３)項に従属する(４)項において、いずれかの縦桟の上端部を後下方に折曲することによりフックを形成する。
【００１０】
(６)  支柱の下端部に、前方と側方とを向く等長の１対の脚杆を設けた本体と、前記支柱をほぼ中心とし、かつ底面の半径を脚杆の長さとほぼ等しくした四分の一円錐形状をなし、外周面に陳列物または陳列物支持用のアタッチメントを係止可能で、下端両側部が前記脚杆の先端部上面に、上部背面が支柱の上端部にそれぞれ支持された陳列板とを備えるものとする。
【００１１】
(７)  上記(６)項において、陳列板の下端両側部を各脚杆の先端部に固着し、かつ陳列板の上部背面を支柱の上端部に固着する。
【００１２】
(８)  上記(６)項において、陳列板の上端部に、中空とした支柱の上端に係合しうる下向きのフックを設け、かつ陳列板の下端両側部と脚杆の先端部とに、相互係合手段を設け、陳列板を本体から着脱可能とする。
【００１３】
(９)  上記(８)項において、相互係合手段を、脚杆の先端部に上向き突設したストッパとする。
【００１４】
(10)  上記(８)項において、相互係合手段を、脚杆の先端部上面に設けられ、かつ陳列板の側部下端より下方に向かって突出する突軸が嵌合する係合孔とする。
【００１５】
(11)  上記(６)〜(10)項において、陳列板が、支柱のほぼ上端部から同一の下向き傾斜角度をもって放射状に延出する複数の縦桟と、下方のものほど支柱を中心とする曲率半径が漸次増大する四分の一円弧状をなして各縦桟に固着された複数の水平の横桟とからなるものとする。
【００１６】
(12)  上記(１)〜(11)項のいずれかにおいて、支柱の下端および各脚杆の先端部下面に、キャスタを設ける。
【００１７】
(13)  上記(６)〜(11)項に従属する(12)項において、陳列板の下端の中間部下面に、キャスタを設ける。
【発明の効果】
【００１８】
各請求項に記載された発明は、それぞれ次のような効果を奏することができる。
(１)請求項１：使用時には、陳列板が後傾状態で本体に安定して支持され、陳列板の前面に、多数の陳列物またはアタッチメントを係止して、陳列物を後方のものほど高くなるように体裁よく陳列することができ、しかも不使用時には、陳列板の下端を、左右の脚杆の後部に載置することにより、陳列板を、支柱とほぼ平行に近い状態で本体の後部に立て掛けて、壁際等に邪魔にならないように収納することができる。
特に、同様の折り畳み状態とした多数の商品陳列装置を、対応する前後の脚杆同士が互いに干渉しないように、側方に若干ずらして、かつ後方の一方の脚杆を前方の下方の連結杆の下に潜入させて、前後方向に重合して収納することにより、前後方向の寸法が制約された収納空間に多数の商品陳列装置を効率よく収納することができる。
さらに、使用時に、各脚杆の前端部に設けたストッパにより、陳列板の下端部が脚杆の前端より前方に脱落するのが阻止され、安全である。
【００１９】
(２)請求項２：フックを本体における上方の連結杆に係合させることにより、陳列板を傾斜状態で安定して本体に支持させることができ、請求項１におけるストッパを省略しても、十分に安全性を保つことができる。
その他の効果は、請求項１のものと同様である。
【００２０】
(３)請求項３：中間部のフックを、本体の上方の連結杆に係合させることにより、陳列板を、支柱とほぼ平行とした状態で、前方に倒れることなく、安定して保持することができ、収納時に陳列板が前方に倒れるのを確実に防止することができる。
収納時に、中間部のフックを連結杆に係合させることにより、陳列板を連結杆に完全に吊り下げるようにしてもよいが、上記フックが連結杆に係合している状態で、陳列板の下端が左右の脚杆の後部上面に載置されるようにしておく方が、陳列板の荷重を脚杆で受けることができるので、好ましい。
【００２１】
(４)請求項４：陳列板を格子状のものとしたことにより、陳列板の任意の部位に、陳列物またはアタッチメントを自由に係止することができる。
また、陳列板の後面に設けたフックを、本体の上方の連結杆に係合させる際、フックを陳列板の前方より見通せるので、操作性がよい。
【００２２】
(５)請求項５：縦桟とフックとを一体的に形成することができるので、製造が容易であるとともに、陳列板の支持強度が増す。
【００２３】
(６)請求項６：請求項１〜５のいずれかに記載の商品陳列装置の側端に配設して、コーナー用として用いたり、または同形のものを複数放射状に配設して、円錐形の商品陳列面を形成したりするのに適した商品陳列装置を提供することができる。
【００２４】
(７)請求項７：分解したり、組み立てたりする手間がいらず、不使用時には、室内のコーナー部分に支柱が近接するようにして、配設することにより、邪魔にならないように体裁よく収納できるとともに、複数のものを横に倒して、尖先部分を他のものの底部に相当する部分から嵌合して、制限された空間に多数の商品陳列装置を重合して効率よく収納することもできる。
【００２５】
(８)請求項８：陳列板を本体から分離して収納することができるとともに、本体に安定して支持させることもでき、しかもその着脱作業が容易である。
【００２６】
(９)請求項９：陳列板の下端が脚杆の先端より脱落するのを確実に防止することができる。
【００２７】
(10)請求項１０：陳列板の側部下端が、脚杆に対して水平方向に位置ずれするのを確実に防止することができる。
【００２８】
(11)請求項１１：陳列板を格子状のものとしたことにより、陳列板の任意の部位に、陳列物またはアッタチメントを自由に係止することができる。
【００２９】
(12)請求項１２：キャスタにより、本体を収納場所から使用場所へ、およびその逆に、容易に移動することができる。
【００３０】
(13)請求項１３：陳列板の下端は１対の脚杆の先端同士を結ぶ直線より外方に円弧状に突出しているので、その下端の中間部にキャスタを設けたことにより、陳列板の支持が安定し、かつ移動にも便利である。
【発明を実施するための最良の形態】
【００３１】
以下、本発明の実施形態を、図面に基づいて説明する。
図１〜図６は、本発明の第１の実施形態を示す。
図１〜図３に示すように、この商品陳列装置(１)は、角管からなる左右１対の支柱(２)(２)の上端部同士および下端部同士を、角管からなる左右方向を向く上下１対の連結杆(３)(３)をもって互いに連結し、かつ各支柱(１)の下端部内面に、前後の端部下面にストッパ機能付きのキャスタ(４)が設けられた前方を向く脚杆(５)の後端部を固着し、さらに、各脚杆(５)の前端に、上向きのストッパ(６)を固着した本体(７)を備えている。
下方の連結杆(３)は、支柱(２)における脚杆(５)の取付位置より上方、好ましくは、ストッパ(６)の上端の高さより上方の位置において、支柱(２)の内面に固着するのがよい。
【００３２】
本体(７)上には、前面に陳列物または陳列物支持用のアタッチメント(８)を係止可能な陳列板(９)が、その下端がストッパ(６)の直後における脚杆(５)の前端部上面に載置され、かつ上部後面が両支柱(２)(２)の上端部または上方の連結杆(３)（この例ではその両方）に当接するようにして、後傾状態で安定して支持されている。
【００３３】
この例では、陳列板(９)は、鋼線からなる上下方向を向く複数（この例では５本）の縦桟(10)と、同じく左右方向を向く多数の横桟(11)とを格子状に組んで、それらの交差部を溶接したものよりなっているが、網目状のものや、パンチングボード等とすることもできる。
【００３４】
中間の３本の縦桟(10)の上端部を、最上段の横桟(11)の下方において、後下方に折曲することにより、そられらの縦桟(10)の上端に後下方を向くフック(12)が形成されている。
このフック(12)を、本体(７)の上方の連結杆(３)に係合することにより、陳列板(９)は、前下方へのずれ落ちが確実に防止される。
この例では、フック(12)とストッパ(６)を両方設けているが、そのいずれか一方を省略しても、安全性を十分確保することができる。
【００３５】
陳列板(９)における中間の３本の縦桟(10)の上端より若干下位の部分には、後方に向かって倒立Ｕ字状に折曲されたフック(13)の前部が溶接により固着されている。
図４に示すように、このフック(13)を、本体(７)における上方の連結杆(３)に係合させることにより、陳列板(９)を、両支柱(２)(２)の前面とほぼ平行をなすように吊支することができる。
【００３６】
この例では、フック(13)を連結杆(３)に係止したとき、陳列板(９)の下端が脚杆(５)の後部上面より若干上方に位置するようにしてあるが、陳列板(９)の下端が脚杆(５)の後部上面に載置された状態で、フック(13)が上方の連結杆(３)に係合するようにしてもよい。この場合は、陳列板(９)の荷重を脚杆(５)(５)で受支することができ、連結杆(３)に大きな負荷が掛からないという利点がある。
【００３７】
図１，図２および図５に示すように、アタッチメント(８)は、この例では、陳列物である切り花（図示略）を活けておくフラワーポット(14)を支持するためのものとしてあり、フラワーポット(14)の上端に形成された拡径鍔部(14a)の下面に係合するようにした円環状の受け部(15)と、受け部(15)の後縁に先端部が溶接された腕部(16)と、腕部(16)の基端に溶接された係止部(17)とからなっている。
【００３８】
係止部(17)は、上端に後方を向く倒立Ｕ字状のフック部(18a)が、また下端に後方を向く折曲部(18b)が形成された上下方向を向く２本の鋼線(18)(18)からなっている。
腕部(16)は、受け部(15)の後縁に溶接された左右方向を向く横杆(16a)の両端に、後方を向く左右１対の腕杆(16b)(16c)が連設され、左方の腕杆(16b)は直線状をなして後下方に延出し、その後端に連設された右方を向く折曲片(16d)が、係止部(17)における２本の鋼線(18)(18)の上部に溶接され、右方の腕杆(16c)は、途中から斜め下向きに折曲されて、その後端に連設された左方を向く折曲片(16e)が、係止部(17)における２本の鋼線(18)(18)の下部に溶接されている。
【００３９】
各アタッチメント(８)は、その係止部(17)における両フック部(18a)(18a)を、後傾状態の陳列板(９)における所望の横桟(11)に係止し、かつ両折曲部(18b)(18b)が上記横桟(11)より下段の横桟(11)の直下に位置するようにして、係止部(17)の後面を陳列板(９)の前面に当接させる。
このとき、受け部(15)がほぼ水平となるように、関係各部の角度を定めておくのがよい。
【００４０】
図１に示すように、多数のアタッチメント(８)を、上下および左右に並べて陳列板(９)の前面に係止し、それらの受け部(15)にフラワーポット(14)を装着し、フラワーポット(14)に水を切り花とを入れて陳列すると、切り花が後方のものほど高く支持され、陳列効果を高めることができる。
【００４１】
商品陳列装置(１)を使用しないときは、すべてのアタッチメント(８)等を陳列板(９)から外し、中間部のフック(13)を、本体(７)における上方の連結杆(３)に係止する。
すると、陳列板(９)は、支柱(２)(２)の前面において支柱(２)とほぼ平行となるように吊支される。この状態で、本体(７)および陳列板(９)を、室内の壁際等に配設しておくことにより、室内空間をさほど妨げることがない。
【００４２】
また、多数の商品陳列装置(１)を、そのそれぞれが、図４に示す折り畳み状態となるようにして、後方のものの一方の脚杆(５)が前方のものの下方の連結杆(３)の下に潜入し、かつ前方のものの対応する脚杆(５)の内面に近接するようにして、互いに前後方向に重ね合わせる、すなわち、ネスティングすることにより、図６に示すように、多数の商品陳列装置(１)を、前後方向および左右方向の寸法が制約された収納空間に凝縮して収納することができる。
【００４３】
因みに、Ｘ台の商品陳列装置(１)をネスティングしたときに必要となる収納空間の前後方向の寸法は、計算上では、１台分の奥行寸法＋（支柱(２)および陳列板(９)の前後方向の厚さの和）×（Ｘ−１）となる。
また必要となる収納空間の左右方向の寸法は、１台分の左右幅＋（脚杆(５)の左右幅）×（Ｘ−１）となる。
【００４４】
なお、図６に示すように、最前列の商品陳列装置(１)におけるほぼ垂直状態の陳列板(９)の前面には、アタッチメント(８)およびフラワーポット(14)を装着したままとしておいても、必要とする収納スペースに変動はない。
【００４５】
図７は、本発明の第２の実施形態を示す。
この例では、第１の実施形態におけるのと同様の２台の商品陳列装置(１)(１)を、互いに背中合せに配設し、近接する支柱(２)(２)同士を互いにボルト・ナット（図示略）等により結合して、切り花等の陳列物を、いわゆる島陳列できるようにしたものである。
第１の実施形態におけるのと同一の部材には、同一の符号を付して図示するに止め、それらについての詳細な説明は省略する（第３以下の実施形態についても同様とする）。
【００４６】
図８は、本発明の第３の実施形態を示す。
この例では、第１の実施形態におけるのと同様の４台の商品陳列装置(１)を、そのうちの２台ずつを左右方向に直列に並べたもの同士を、背中合せとして互いに結合し、さらに、それらの両側端に、円錐形を中心線に沿って４等分した形状の２個のコーナー用の商品陳列装置(21)(21)を背中合せとして係合し、大型の島陳列ブロック(Ａ)を形成している。
【００４７】
コーナー用の各商品陳列装置(21)は、図９および図１０に示すように、商品陳列装置(１)における支柱(２)と同長同形の１本の支柱(22)と、この支柱(22)の下端部に固着され、前方（または後方）と側方とを向く等長の１対の脚杆(23)(23)と、各脚杆(23)の先端部下面といずれか一方の脚杆(23)の基端部下面とに設けられたキャスタ(24)とを有する本体(25)を備えている。
各脚杆(23)の支柱(22)からの突出量は、商品陳列装置(１)における脚杆(５)の支柱(２)からの前方への突出量と同一としてある。
【００４８】
本体(25)には、支柱(22)をほぼ中心とし、かつ底面の半径を脚杆(23)の長さとほぼ等しくした四分の一円錐形状をなし、外周面に陳列物または陳列物支持用のアタッチメントを係止可能とした陳列板(26)が、下端両側部が各脚杆(23)の先端部上面に固着され、かつ上部背面が支柱(22)の上端部に固着されて支持されている。
【００４９】
陳列板(26)は、この例では、支柱(22)の上端部から前方と側方とに同一の下向き傾斜角度をもって放射状に延出する２本の縦桟(27)(27)と、それらの中間において、支柱(22)の上端よりやや下位の部分から、縦桟(27)と同一の下向き傾斜角度をもって放射状に延出する複数本（ここでは２本）縦桟(28)と、下方のものほど支柱(22)を中心とする曲率半径が漸次増大する四分の一円弧状をなす複数の水平の横桟(29)とを格子状に組んで、それらの交差部を溶接した四分の一円錐面状としてあるが、網目状のものや、パンチングボード等とすることもできる。
【００５０】
横桟(29)の上下間隔は、商品陳列装置(１)における横桟(11)の上下間隔と同一とし、すべての横桟(29)と横桟(11)とが同一高さにおいて連続するようにしてある。
【００５１】
下から複数段（この例では３段）の横桟(29)の中央部背面には、縦桟(27)と同一下向き傾斜角度をなす上下方向を向くキャスタ取付板(30)が溶接され、その下端に、キャスタ(24)が取付けられている。
陳列板(26)の下端は、１対の脚杆(23)(23)の先端同士を結ぶ直線より外方に円弧状に突出しているので、その下端の中間部に上記キャスタ(24)を設けたことにより、陳列板(26)の支持が安定し、かつ移動にも便利である。
【００５２】
陳列板(26)の外周面には、上記アタッチメント(８)を上記と同様にして所望の位置に係止することができ、２種類の商品陳列装置(１)(21)を、図８に示すように組合せることにより、切り花のための大型で美麗な島陳列が可能となる。
【００５３】
コーナー用の商品陳列装置(21)は、不使用時には、室内のコーナー部分に支柱(22)が近接するようにして配置することにより、邪魔にならないように、体裁よく収納することができる。
また、複数のものを横に倒して、支柱(22)の上端にあたる尖先部分を、他のものの底部である両脚杆(23)(23)と陳列板(26)の下端とに囲まれた扇形の空間へ漸次挿入して、ネスティングすることにより、制限された空間に多数のものを重合して効率よく収納することができる。
【００５４】
図１１は、本発明の第４の実施形態を示す。
この例では、図９および図１０に示すコーナー用の４個の商品陳列装置(21)を、各支柱(22)を互いに近接させて、ボルト・ナット（図示略）等により結合することによって、完全な円錐形の美麗な島陳列を実現することができる。
【００５５】
図１２は、本発明の第５の実施形態を示す。
この例では、コーナー用の商品陳列装置(21')における陳列板(26')を、本体(25')に簡単に着脱しうるようにしてある。
そのために、陳列板(26')における両縦桟(27)(27)の脚杆(23)および支柱(22)への溶接をやめて、それらから分離可能とするとともに、両縦桟(27)(27)の上端部を背面に向かって倒立Ｕ字状に折曲して、フック(31)(31)を形成し、それらを角管とした支柱(22)の上端に係止しうるようにしてある。
【００５６】
また、陳列板(26')の下端両側部と各脚杆(23)の先端部とに、相互係合手段(32)が設けられている。
この例では、相互係合手段(32)は、各脚杆(23)の先端部に上向き突設したストッパ(33)としてあるが、図１３に示すように、各縦桟(27)の下端部により形成した突軸(34)が嵌合しうるように、各脚杆(23)の前端部上面に設けた係合孔(35)としてもよい。
この係合孔(35)とすると、陳列板(26')と各脚杆との前後左右の位置ずれが防止できる。
【００５７】
第５の実施形態によると、不使用時に陳列板(26')を本体(25')から分離し、複数の本体(25')同士および陳列板(26')同士をそれぞれネスティングして、制限された収納空間に集約して収納することができる。
【産業上の利用可能性】
【００５８】
本発明は、上述した切り花の陳列だけでなく、あらゆる商品の陳列に適用可能である。例えば、フックのある商品は、そのフックを直接陳列板に係止することにより、また吊下げ用の孔のある商品は、その孔に挿通した棒状のアタッチメントを陳列板に係止することにより、それぞれ陳列可能である。
【図面の簡単な説明】
【００５９】
【図１】本発明の第１の実施形態の斜視図である。
【図２】同じく、分解斜視図である。
【図３】同じく、本体と陳列板のみの、使用時の状態を示す斜視図である。
【図４】同じく、本体と陳列板のみの、収納時の状態を示す斜視図である。
【図５】同じく、アタッチメントを斜め後方より見た斜視図である。
【図６】同じく、ネスティングしたときの側面図である。
【図７】本発明の第２の実施形態の側面図である。
【図８】本発明の第３の実施形態の斜視図である。
【図９】同じく、コーナー用の商品陳列装置の側面図である。
【図１０】同じく、平面図である。
【図１１】本発明の第４の実施形態の斜視図である。
【図１２】本発明の第５の実施形態の要部拡大側面図である。
【図１３】同じく、相互係合手段の変形例を示す要部拡大斜視図である。
【符号の説明】
【００６０】
(１)商品陳列装置
(２)支柱
(３)連結杆
(４)キャスタ
(５)脚杆
(６)ストッパ
(７)本体
(８)アタッチメント
(９)陳列板
(10)縦桟
(11)横桟
(12)(13)フック
(14)フラワーポット
(14a)拡径鍔部
(15)受け部
(16)腕部
(16a)横杆
(16b)(16c)腕杆
(16d)(16e)折曲片
(17)係止部
(18)鋼線
(18a)フック部
(18b)折曲部
(21)(21')コーナー用の商品陳列装置
(22)支柱
(23)脚杆
(24)キャスタ
(25)(25')本体
(26)(26')陳列板
(27)(28)縦桟
(29)横桟
(30)キャスタ取付板
(31)フック
(32)相互係合手段
(33)ストッパ
(34)突軸
(35)係合孔
【図１】
2005237775.tif 000003
【図２】
2005237775.tif 000004
【図３】
2005237775.tif 000005
【図４】
2005237775.tif 000006
【図５】
2005237775.tif 000007
【図６】
2005237775.tif 000008
【図７】
2005237775.tif 000009
【図８】
2005237775.tif 000010
【図９】
2005237775.tif 000011
【図１０】
2005237775.tif 000012
【図１１】
2005237775.tif 000013
【図１２】
2005237775.tif 000014
【図１３】
2005237775.tif 000015